(57)【要約】【課題】  夏季及び冬季双方において発電効率の低下を防止するとともに、多機能性及び経済性、さらには費用対効果を高める。【解決手段】  ソーラーパネル２の受光面２ｕの上方に配した配管部Ｈに、給水源５の井戸水Ｗを給水ポンプＰａ…及び開閉バルブＶ１…を介して供給し、配管部Ｈに接続した一又は二以上のシャワーノズルＮ…から散水可能にするとともに、少なくとも、温度センサ７により検出される検出温度Ｔｄが予め設定した設定温度Ｔｓ以上になったなら給水ポンプＰａ…をＯＮ制御し、かつ一部又は全部の開閉バルブＶ１…を開制御するとともに、降雪センサ８により降雪が検出されたなら給水ポンプＰａ…をＯＮ制御し、かつ一部又は全部の開閉バルブＶ１…を開制御する。【選択図】  図１
2008282837.tif 000002
【特許請求の範囲】
【請求項１】
太陽光発電を行うソーラーパネル及びこのソーラーパネルの受光面に散水する散水装置を備えてなる太陽光発電システムにおいて、前記受光面の上方に配した配管部及びこの配管部に接続した一又は二以上のシャワーノズルを有する散水部と、井戸水を用いた給水源と、この給水源の井戸水を給水ポンプ及び開閉バルブを介して前記配管部に供給する給水回路部と、外気温を検出する温度センサと、降雪の有無を検出する降雪センサと、少なくとも、前記温度センサにより検出される検出温度が予め設定した設定温度以上になったなら前記給水ポンプをＯＮ制御し、かつ一部又は全部の前記開閉バルブを開制御するとともに、前記降雪センサにより降雪が検出されたなら前記給水ポンプをＯＮ制御し、かつ一部又は全部の前記開閉バルブを開制御する制御部とを有する散水装置を備えてなることを特徴とする太陽光発電システム。
【請求項２】
前記制御部は、前記開閉バルブを開制御するに際し、予め設定した周期により間欠的に開閉する機能を備えることを特徴とする請求項１記載の太陽光発電システム。
【請求項３】
太陽光発電を行うソーラーパネルの受光面に散水装置により散水する際におけるソーラーパネル用散水方法において、前記受光面の上方に配した配管部に、給水源の井戸水を給水ポンプ及び開閉バルブを介して供給し、前記配管部に接続した一又は二以上のシャワーノズルから散水可能にするとともに、少なくとも、温度センサにより検出される検出温度が予め設定した設定温度以上になったなら前記給水ポンプをＯＮ制御し、かつ一部又は全部の前記開閉バルブを開制御するとともに、降雪センサにより降雪が検出されたなら前記給水ポンプをＯＮ制御し、かつ一部又は全部の前記開閉バルブを開制御することを特徴とするソーラーパネル用散水方法。
【請求項４】
前記開閉バルブを開制御するに際し、予め設定した周期により間欠的に開閉することを特徴とする請求項３記載のソーラーパネル用散水方法。
【請求項５】
前記ソーラーパネルは、水平面に配してなることを特徴とする請求項３記載のソーラーパネル用散水方法。
【発明の詳細な説明】
【技術分野】
【０００１】
本発明は、太陽光発電を行うソーラーパネル及びこのソーラーパネルの受光面に散水する散水装置を備える太陽光発電システム及びソーラーパネル用散水方法に関する。
【背景技術】
【０００２】
一般に、太陽光発電システムの場合、ソーラーパネルの発電効率が最大になる温度は、２５〔℃〕前後であり、２５〔℃〕以上に温度が上昇した際には、反って発電効率が低下してしまう。このため、真夏では発電効率が概ね２０〔％〕程度低下してしまうのが実情である。
【０００３】
一方、この問題を解決するため、従来、ソーラーパネルに散水装置を付設することにより、気温が上昇した際に、ソーラーパネルに対して散水できるようにした太陽光発電システムも知られており、例えば、特開２００４−２５９７９７号公報には、太陽光発電モジュールとこの太陽光発電モジュールの受光面に水を滴下する複数の孔を有する散水管を配置した太陽光発電システムが開示されている。
【特許文献１】特開２００４−２５９７９７号
【発明の開示】
【発明が解決しようとする課題】
【０００４】
しかし、上述した従来の太陽光発電システムは、次のような問題点があった。
【０００５】
第一に、太陽光発電モジュール（ソーラーパネル）に対する単なる冷却機能に止まるため、冷却するための設備が大掛かりになる割に享受できるメリット（費用対効果）が小さく、多機能性及び経済性に難がある。
【０００６】
第二に、傾斜した太陽光発電モジュールの受光面に対して上部位置から水を滴下し、水が受光面を流れ落ちる際の気化熱により冷却を行うため、水が受光面から流れ落ちた場合、その水は無駄になり、気化熱による十分な冷却が行われないなど、冷却能力及び冷却効率に難がある。
【０００７】
第三に、一般住宅の傾斜した屋根面に設置することを目的とした散水装置として構築するため、工場やビルディングなどのように、屋根（屋上）が水平面の場合、即ち、太陽光発電モジュールが水平に設置される場合には適用できないなど、汎用性に難がある。
【０００８】
本発明は、このような背景技術に存在する課題を解決した太陽光発電システム及びソーラーパネル用散水方法の提供を目的とするものである。
【課題を解決するための手段】
【０００９】
本発明に係る太陽光発電システム１は、上述した課題を解決するため、太陽光発電を行うソーラーパネル２及びこのソーラーパネル２の受光面２ｕに散水する散水装置３を備えてなるシステムであって、受光面２ｕの上方に配した配管部Ｈ及びこの配管部Ｈに接続した一又は二以上のシャワーノズルＮ…を有する散水部４と、井戸水Ｗを用いた給水源５と、この給水源５の井戸水Ｗを給水ポンプＰａ…及び開閉バルブＶ１…を介して配管部Ｈに供給する給水回路部６と、外気温を検出する温度センサ７と、降雪の有無を検出する降雪センサ８と、少なくとも、温度センサ７により検出される検出温度Ｔｄが予め設定した設定温度Ｔｓ以上になったなら給水ポンプＰａ…をＯＮ制御し、かつ一部又は全部の開閉バルブＶ１…を開制御するとともに、降雪センサ８により降雪が検出されたなら給水ポンプＰａ…をＯＮ制御し、かつ一部又は全部の開閉バルブＶ１…を開制御する制御部９とを有する散水装置３を備えてなることを特徴とする。この場合、発明の好適な態様により、制御部９には、開閉バルブＶ１…を開制御するに際し、予め設定した周期により間欠的に開閉する機能を設けることができる。
【００１０】
また、本発明に係るソーラーパネル用散水方法は、上述した課題を解決するため、太陽光発電を行うソーラーパネル２の受光面２ｕに散水装置３により散水するに際し、受光面２ｕの上方に配した配管部Ｈに、給水源５の井戸水Ｗを給水ポンプＰａ…及び開閉バルブＶ１…を介して供給し、配管部Ｈに接続した一又は二以上のシャワーノズルＮ…から散水可能にするとともに、少なくとも、温度センサ７により検出される検出温度Ｔｄが予め設定した設定温度Ｔｓ以上になったなら給水ポンプＰａ…をＯＮ制御し、かつ一部又は全部の開閉バルブＶ１…を開制御するとともに、降雪センサ８により降雪が検出されたなら給水ポンプＰａ…をＯＮ制御し、かつ一部又は全部の開閉バルブＶ１…を開制御するようにしたことを特徴とする。この場合、発明の好適な態様により、開閉バルブＶ１…を開制御するに際し、予め設定した周期により間欠的に開閉することができる。なお、本発明に係る散水方法は、水平面に配したソーラーパネル２に適用することが望ましい。
【発明の効果】
【００１１】
このような本発明に係る太陽光発電システム１及びソーラーパネル用散水方法によれば、次のような顕著な効果を奏する。
【００１２】
（１）  温度センサ７により検出される検出温度Ｔｄが設定温度Ｔｓ以上になったなら、或いは降雪センサ８により降雪が検出されたなら、井戸水Ｗを散水するようにしたため、夏季における気温上昇に伴う発電効率の低下、及び冬季における積雪に伴う発電効率の低下を回避することができる。また、年間を通じてほぼ一定温度（約１５〔℃〕）の井戸水Ｗをそのまま利用するため、別途の加熱手段や冷却手段が不要になるなど、多機能性及び経済性に優れるとともに、費用対効果を高めることができる。
【００１３】
（２）  シャワーノズルＮ…によりソーラーパネル２の受光面２ｕ上にシャワー状に散水するため、工場などのように、屋上が水平面の場合でも効果的に冷却或いは消雪（融雪）することができる。特に、井戸水Ｗは屋上から容易に流れ落ちないため、気化熱による有効な冷却を行うことができるとともに、ソーラーパネル２のみならず、屋上自体の冷却も可能となり、工場内などの冷房効率を高めることができる。
【００１４】
（３）  好適な態様により、開閉バルブＶ１…を開制御するに際し、予め設定した周期により間欠的に開閉するようにすれば、気候などに対応した最適な散水を行うことができる。
【発明を実施するための最良の形態】
【００１５】
次に、本発明に係る最良の実施形態を挙げ、図面に基づき詳細に説明する。
【００１６】
まず、本実施形態に係る太陽光発電システム１の構成について、図１〜図５を参照して説明する。
【００１７】
図１に、太陽光発電システム１の系統図を示す。太陽光発電システム１は、太陽光発電を行うソーラーパネル２と、このソーラーパネル２の受光面２ｕに散水する散水装置３を備える。ソーラーパネル２の設置例を図２に示す。図２は、正面玄関５１を有する工場５０を示し、この工場５０は水平面となる屋上５０ｕを有する。そして、ソーラーパネル２は、この屋上５０ｕのほぼ全面を覆うように設置する。具体的には、多数のモジュールＭ…を並べて配置することによりソーラーパネル２を構成する。この場合、モジュールＭ…は、屋上５０ｕの形状や面積に応じて配置し、例示のソーラーパネル２は、複数のモジュールＭ…をそれぞれ含む四つのモジュール群２ａ，２ｂ，２ｃ，２ｄの組合わせにより構成する。このソーラーパネル２は、瞬間最大発電量約１５０〔ｋＷ〕（年間約１５７，０００〔ｋＷｈ〕）の発電能力を有している。なお、ソーラーパネル２自体は、公知の太陽光発電装置を構成すため、その詳細な説明は省略する。
【００１８】
一方、散水装置３は、図１に示すように、大別して、散水部４，給水源５，給水回路部６，温度センサ７，降雪センサ８及び制御部９を備える。
【００１９】
散水部４は、ソーラーパネル２の受光面２ｕの上方に配した配管部Ｈ及びこの配管部Ｈに接続した複数のシャワーノズルＮ…を有する。配管部Ｈは、図３に示すように、四系統の配水管Ｈ１，Ｈ２，Ｈ３及びＨ４を備え、ソーラーパネル２の受光面２ｕに対して均等に散水できるように、その配管経路を構成するとともに、各配水管Ｈ１，Ｈ２，Ｈ３及びＨ４の所定位置にそれぞれ複数のシャワーノズルＮ…を接続する。図３は、配水管Ｈ１とＨ３にはそれぞれ五つのシャワーノズルＮ…を接続するとともに、配水管Ｈ２とＨ４にはそれぞれ六つのシャワーノズルＮ…を接続した場合を例示する。
【００２０】
各配水管Ｈ１…は、図４及び図５に示すように、支持金具１５…により支持される。この場合、支持金具１５…は、各モジュールＭ…間の隙間Ｅｓ…或いは各モジュールＭ…におけるフレーム部Ｅｆ…を利用して固定し、各配水管Ｈ１…は、上方に起立する支持金具１５…の上端に支持される。即ち、各配水管Ｈ１…（シャワーノズルＮ…）は、ソーラーパネル２の受光面２ｕの上方における所定高さの位置に支持される。また、シャワーノズルＮは、図５に示すように、配水管Ｈ１…の所定位置に接続した分岐管１６の上端に接続する。シャワーノズルＮは、半球状に形成した散水面Ｎｓに多数の小孔を有し、噴射方向中心を上方に向けることにより、供給される井戸水Ｗを、３６０〔゜〕の範囲にわたってシャワー状に噴射させることができる。
【００２１】
他方、給水源５には、二つの井戸５ａ，５ｂを使用し、各井戸５ａ，５ｂから取水する井戸水Ｗを利用する。例示の井戸５ａ，５ｂは、それぞれ異なる井戸であり、一方の井戸５ａは地下５０〔ｍ〕、他方の井戸５ｂは地下２０〔ｍ〕である。井戸水Ｗは、年間を通じてほぼ一定温度（約１５〔℃〕）である。散水装置３では、このような井戸水Ｗをそのまま利用するため、別途の加熱手段や冷却手段が不要となる。したがって、多機能性及び経済性に優れるとともに、費用対効果を高めることができる利点がある。
【００２２】
給水回路部６は、二つの給水ポンプＰａ，Ｐｂと、電磁式に構成した四つの開閉バルブＶ１，Ｖ２，Ｖ３及びＶ４と、電磁式に構成した四つの水抜バルブＶ１１，Ｖ１２，Ｖ１３及びＶ１４と、二つの元栓Ｖａ，Ｖｂを備える。この場合、一方の井戸５ａは、元栓Ｖａを介して給水ポンプＰａの吸込側に接続するとともに、他方の井戸５ｂは、元栓Ｖｂを介して給水ポンプＰｂの吸込側に接続する。また、給水ポンプＰａの吐出側は、開閉バルブＶ１及び水抜バルブＶ１１を介して配水管Ｈ１に接続するとともに、開閉バルブＶ２及び水抜バルブＶ１２を介して配水管Ｈ２に接続する。さらに、給水ポンプＰｂの吐出側は、開閉バルブＶ３及び水抜バルブＶ１３を介して配水管Ｈ３に接続するとともに、開閉バルブＶ４及び水抜バルブＶ１２を介して配水管Ｈ４に接続する。なお、元栓Ｖａ，Ｖｂは、手動で操作できる開閉弁を用いることができる。
【００２３】
一方、温度センサ７は、外気温を検出するためのものであり、外気温を検出可能な所定の場所に設置するとともに、降雪センサ８は、降雪の有無を検出するためのものであり、降雪の有無を検出可能な所定の場所に設置する。また、制御部９は、シーケンス制御を行うマイクロコンピュータを内蔵し、少なくとも、温度センサ７により検出される検出温度Ｔｄが予め設定した設定温度Ｔｓ以上になったなら給水ポンプＰａ…をＯＮ制御し、かつ所定の開閉バルブＶ１…をＯＮ制御（開制御）するとともに、降雪センサ８により降雪が検出されたなら給水ポンプＰａ…をＯＮ制御し、かつ所定の開閉バルブＶ１…をＯＮ制御（開制御）する機能を備えている。例示の設定温度Ｔｓは、２５〔℃〕である。さらに、制御部９は、予め設定した周期により開閉バルブＶ１…を間欠的に開閉する機能を備えている。
【００２４】
次に、本実施形態に係るソーラーパネル用散水方法を含む太陽光発電システム１における主要部（散水装置）の動作について、図１〜図５を参照しつつ図６に示すフローチャートに従って説明する。
【００２５】
なお、元栓Ｖａ，Ｖｂは、散水装置３を使用しないときは閉じ、使用するときは開いておく。そして、電源をＯＮすることにより、散水装置３が作動状態となる（ステップＳ１）。この場合、電源がＯＦＦ又は電源をＯＮにした初期状態では、開閉バルブＶ１〜Ｖ４は全てＯＦＦ（閉）に、また、水抜バルブＶ１１〜Ｖ１４は全て給水側にそれぞれ切換わっている。
【００２６】
一方、散水装置３が作動することにより、温度センサ７により検出される外気温、即ち、検出温度Ｔｄは制御部９に付与される。これにより、制御部９は検出温度Ｔｄの値を監視する（ステップＳ２）。また、降雪センサ８により検出される降雪有無の検出結果が制御部９に付与される。これにより、制御部９は降雪の有無を監視する（ステップＳ３）。この場合、温度センサ７により検出される検出温度Ｔｄに基づく処理動作と、降雪センサ８により検出される降雪有無の検出結果に基づく処理動作はそれぞれ独立する。
【００２７】
まず、夏季においては、温度センサ７により検出される検出温度Ｔｄの監視が行われる。この際、検出温度Ｔｄが設定温度Ｔｓ（２５〔℃〕）未満の場合には、検出温度Ｔｄの監視に基づく制御信号は出力しない。これに対して、検出温度Ｔｄが設定温度Ｔｓ（２５〔℃〕）以上になったなら、制御部９は、検出温度Ｔｄの監視に基づく制御信号を出力し、給水ポンプＰａ及びＰｂをＯＮ制御するとともに、開閉バルブＶ１〜Ｖ４を開制御（ＯＮ制御）する。この場合、開閉バルブＶ１〜Ｖ４に対するＯＮ制御は、予め設定した周期により間欠的に開閉するため、最初に開閉バルブＶ１及びＶ３をＯＮにする（ステップＳ４，Ｓ５）。
【００２８】
これにより、井戸５ａの井戸水Ｗは、給水ポンプＰａによりポンプアップされ、配水管Ｈ１に供給されることにより、配水管Ｈ１に設けた五つのシャワーノズルＮ…から噴射される。また、井戸５ｂの井戸水Ｗは、給水ポンプＰｂによりポンプアップされ、配水管Ｈ３に供給されることにより、配水管Ｈ３に設けた五つのシャワーノズルＮ…から噴射される。各シャワーノズルＮ…から噴射された井戸水Ｗは、ソーラーパネル２の受光面２ｕにシャワー状に散水され、受光面２ｕが井戸水Ｗの温度により冷却されるとともに、井戸水Ｗの気化熱による冷却が行われる。この場合、散水装置３は、前述した散水部４及び給水源５を採用するため、工場などのように、屋上が水平面の場合でも効果的に冷却することができる。特に、井戸水Ｗは屋上から容易に流れ落ちないため、気化熱による有効な冷却が行われるとともに、ソーラーパネル２のみならず、屋上自体の冷却も行われるため、工場内などの冷房効率を高めることができる利点がある。
【００２９】
そして、開閉バルブＶ１及びＶ３をＯＮにしてから１５〔分〕が経過したなら、開閉バルブＶ１及びＶ３をＯＦＦ（閉）にし、次いで、開閉バルブＶ２及びＶ４をＯＮ（開）にする（ステップＳ６，Ｓ７）。開閉バルブＶ２及びＶ４がＯＮすることにより、給水ポンプＰａによりポンプアップされた井戸５ａの井戸水Ｗは、配水管Ｈ２に供給されることにより、配水管Ｈ２に設けた六つのシャワーノズルＮ…から噴射される。また、給水ポンプＰｂによりポンプアップされた井戸５ｂの井戸水Ｗは、配水管Ｈ４に供給されることにより、配水管Ｈ４に設けた六つのシャワーノズルＮ…から噴射される。各シャワーノズルＮ…から噴射された井戸水Ｗは、ソーラーパネル２の受光面２ｕにシャワー状に散水され、受光面２ｕが井戸水Ｗの温度により冷却されるとともに、井戸水Ｗの気化熱による冷却が行われる。
【００３０】
開閉バルブＶ２及びＶ４をＯＮにする時間も１５〔分〕である（ステップＳ８）。したがって、開閉バルブＶ２及びＶ４をＯＮなしてから１５〔分〕が経過すれば、１サイクルの散水が終了する。この際、検出温度Ｔｄを確認し、検出温度Ｔｄが設定温度Ｔｓ（２５〔℃〕）以上であれば、開閉バルブＶ１及びＶ３、更に、開閉バルブＶ２及びＶ４に対して同様の制御を繰り返して行う（ステップＳ９，Ｓ４…）。
【００３１】
したがって、開閉バルブＶ１〜Ｖ４の開制御（ＯＮ制御）期間中、開閉バルブＶ１及びＶ３は所定の周期により間欠的に開閉、即ち、１５〔分〕のＯＮと１５〔分〕ＯＦＦを交互に繰り返すとともに、開閉バルブＶ２及びＶ４も所定の周期により間欠的に開閉、即ち、１５〔分〕のＯＮと１５〔分〕ＯＦＦを交互に繰り返し、この際、開閉バルブＶ１及びＶ３がＯＮ（ＯＦＦ）のときは開閉バルブＶ２及びＶ４がＯＦＦ（ＯＮ）になる。このように、開閉バルブＶ１…を、予め設定した周期により間欠的に開閉制御するため、気候などに対応した最適な散水を行うことができる。しかも、散水の連続性を確保しつつ、井戸５ａ，５ｂの水圧低下を防止できる利点がある。
【００３２】
一方、１サイクルが終了した後、検出温度Ｔｄを確認した際に、検出温度Ｔｄが設定温度Ｔｓ（２５〔℃〕）未満に下がっていれば、開閉バルブＶ１〜Ｖ４の全てをＯＦＦ制御するとともに、給水ポンプＰａ及びＰｂをＯＦＦ制御する（ステップＳ１０）。以上が夏季における制御となる。
【００３３】
他方、冬季においては、降雪センサ８により検出される降雪有無の検出結果の監視が行われる。この際、降雪を検出しない場合には、降雪有無に基づく制御信号は出力しない。これに対して、降雪を検出した場合には、制御部９は、降雪の検知に基づく制御信号を出力し、給水ポンプＰａ及びＰｂをＯＮ制御するとともに、開閉バルブＶ１〜Ｖ４を全てＯＮ制御する（ステップＳ１１，Ｓ１２）。これにより、井戸５ａ及び５ｂの井戸水Ｗが給水ポンプＰａ及びＰｂによりそれぞれポンプアップされ、配水管Ｈ１〜Ｈ４に供給される。そして、全てのシャワーノズルＮ…から約１５〔℃〕の井戸水Ｗが散水され、ソーラーパネル２の受光面２ｕ上の消雪（融雪）が行われる。降雪有無は降雪センサ８により継続的に検出され、降雪を検出しなくなったなら、開閉バルブＶ１〜Ｖ４を全てＯＦＦ制御するとともに、給水ポンプＰａ及びＰｂをＯＦＦ制御する（ステップＳ１３，Ｓ１０）。
【００３４】
このような制御は、散水装置３の電源をＯＦＦにしない限り継続して行われる。即ち、制御部９は検出温度Ｔｄの値を監視するとともに、降雪の有無を監視し、同様の制御を継続して行う（ステップＳ１４，Ｓ２，Ｓ３…）。その他、冬季には、配水管Ｈ１…内部の凍結を防止するため、検出温度Ｔｄが２．５〔℃〕（凍結防止設定温度）以下に低下したなら、制御部９は、四つの水抜バルブＶ１１，Ｖ１２，Ｖ１３及びＶ１４に切換信号を付与する。これにより、各水抜バルブＶ１１…は給水側から水抜側に切換えられ、配水管Ｈ１…内の井戸水Ｗが各水抜バルブＶ１１…を通して外部に排出され、配水管Ｈ１…の凍結防止が図られる。また、必要により手動スイッチを操作することにより散水を行うことができるため、例えば、ソーラーパネル２の受光面２ｕに対する洗浄などを任意に行うことができる。
【００３５】
よって、このような本実施形態に係る太陽光発電システム１及びソーラーパネル用散水方法によれば、温度センサ７により検出される検出温度Ｔｄが設定温度Ｔｓ以上になったなら、或いは降雪センサ８により降雪が検出されたなら、井戸水Ｗを散水するようにしたため、夏季における気温上昇に伴う発電効率の低下、及び冬季における積雪に伴う発電効率の低下を回避することができる。
【００３６】
以上、最良の実施形態について詳細に説明したが、本発明は、このような実施形態に限定されるものではなく、細部の構成，形状，数量，数値等において、本発明の要旨を逸脱しない範囲で、任意に変更，追加，削除することができる。
【００３７】
例えば、温度センサ７から得る検出温度Ｔｄに基づいて開閉バルブＶ１…をＯＮ制御（開制御）するに際し、予め設定した周期により間欠的に開閉する例を示したが、連続してＯＮ（開）にしてもよい。また、検出温度Ｔｄの値に対応して開閉バルブＶ１…の開時間を自動制御したり、開閉バルブＶ１…の代わりに流量制御バルブ等を利用し、検出温度Ｔｄの値に応じて散水量を自動制御してもよい。なお、水平面に配したソーラーパネル２に適用した場合を例示したが、傾斜したソーラーパネル２にも勿論同様に適用できる。
【図面の簡単な説明】
【００３８】
【図１】本発明の最良の実施形態に係る太陽光発電システムの主要部の系統図、
【図２】同太陽光発電システムのソーラーパネルの設置例を示す工場の斜視図、
【図３】同太陽光発電システムにおける散水部のレイアウトを示す平面図、
【図４】同太陽光発電システムにおける散水部の配管部一部を示す斜視図、
【図５】同太陽光発電システムにおける散水部のシャワーノズルを示す斜視図、
【図６】本発明の最良の実施形態に係るソーラーパネル用散水方法を含む太陽光発電システムにおける主要部（散水装置）の動作を説明するためのフローチャート、
【符号の説明】
【００３９】
１：太陽光発電システム，２：ソーラーパネル，３：散水装置，４：散水部，５：給水源，６：給水回路部，７：温度センサ，８：降雪センサ，９：制御部，Ｈ：配管部，Ｎ…：シャワーノズル，Ｗ：井戸水，Ｐａ…：給水ポンプ，Ｖ１…：開閉バルブ
【図１】
2008282837.tif 000003
【図２】
2008282837.tif 000004
【図３】
2008282837.tif 000005
【図４】
2008282837.tif 000006
【図５】
2008282837.tif 000007
【図６】
2008282837.tif 000008